(57)【要約】【課題】本発明にかかる除湿装置は吹出口から送風される空気の風速分布のむらを改善し、乾きむらを抑制させ乾燥時間を短縮させる除湿装置を提供できるものである。【解決手段】上方に開口する吹出口４を有する本体ケース１と、吹出口４の上方を、吹出口４と所定間隔をおいて覆ったルーバー５とを備え、ルーバー５は、本体ケース１における左右方向に広がるように吹き出す左右風向板を有し、送風機９のケーシング９ｃは、上面には本体ケース１における左右方向に長い横長形状の吐出口１７を設け、吐出口１７には、ケーシング９ｃの吐出口における一方側の長辺面の中央部から内方に膨らんだ膨張部分２４を設ける構成としたことにより、空気が本体ケース１における左右方向へ分割し、吹出口４から衣類へ送風されるため、乾きむらが抑制され、乾燥時間を短縮できる除湿装置を得られる。【選択図】図４
2019155267.tif 000002
【特許請求の範囲】
【請求項１】
上方に開口する吹出口を有する本体ケースと、
前記本体ケース内に設けた除湿部と、
前記除湿部を介して前記吹出口へ送風する送風機と、
前記吹出口の上方を、前記吹出口と所定間隔をおいて覆ったルーバーとを備え、
前記ルーバーは、
前記本体ケースにおける左右方向に広がるように吹き出す左右風向板を有し、
前記送風機は、
スクロール形状のケーシングと、
前記ケーシング内に設けられた羽根と、
前記羽根を回転させるモータ部とを備え、
前記ケーシングは、
一方側の側面に給気口を有し、
上面には前記本体ケースにおける左右方向に長い横長形状の吐出口を設け、
前記吐出口には、
前記ケーシングの前記吐出口における一方側の長辺面の中央部から内方に膨らんだ膨張部分を設けたことを特徴とする除湿装置。
【請求項２】
前記ケーシングは、前記本体ケースにおける左右方向における一方側に舌部を備え、
前記膨張部分は、前記本体ケースにおける左右方向における一方側寄りに配置されたことを特徴とする請求項１に記載の除湿装置。
【請求項３】
前記除湿部は、
水分を吸着する除湿ロータと、
前記除湿ロータを回転させるモータとを有し、
前記膨張部分内には、前記モータの一部が入り込むことを特徴とする請求項１または２に記載の除湿装置。
【請求項４】
前記吐出口における一方側の長辺面は、前記本体ケースにおける前後方向において前記吐出口の内方から外方へ広がる傾斜面である傾斜部を有し、
前記膨張部分は、前記傾斜部に設けられたことを特徴とする請求項１から３のいずれかに記載の除湿装置。
【請求項５】
前記吹出口には、多数の開口を有する格子部を有し、
前記格子部は、水平面である水平格子部と、
前記水平格子部の端部から上方へ傾斜した傾斜面である傾斜格子部とを備え、
前記膨張部の前記本体ケースにおける左右には、前記傾斜格子部が配置されたことを特徴とする請求項１から４のいずれかに記載の除湿装置。
【発明の詳細な説明】
【技術分野】
【０００１】
本発明は除湿装置に関するもので、除湿機などの空調装置の吹出口に使用される膨張部に関するものである。
【背景技術】
【０００２】
従来の除湿装置は、本体ケースと、送風手段と、前記本体ケースの上部に吹出口と、前記吹出口付近に風向変更手段とを備えており、近年は洗濯衣類を乾燥させる際に使用することが多いことを特徴とした除湿装置が知られている（例えば、特許文献１参照）。
【先行技術文献】
【特許文献】
【０００３】
【特許文献１】特開２００５−１９３０９８号公報
【発明の概要】
【発明が解決しようとする課題】
【０００４】
このような従来の除湿装置においては、吹出口から送風される空気の風速分布にむらが生じることにより、衣類の乾きむらが発生し、乾燥時間が長くなるという課題を有していた。
【０００５】
そこで本発明は、上記従来の課題を解決するものであり、乾きむらを抑制少させ乾燥時間を短縮させる除湿装置を提供することを目的とする。
【課題を解決するための手段】
【０００６】
上方に開口する吹出口を有する本体ケースと、前記本体ケース内に設けた除湿部と、前記除湿部を介して前記吹出口へ送風する送風機と、前記吹出口の上方を、前記吹出口と所定間隔をおいて覆ったルーバーとを備え、前記ルーバーは、前記本体ケースにおける左右方向に広がるように吹き出す左右風向板を有し、前記送風機は、スクロール形状のケーシングと、前記ケーシング内に設けられた羽根と、前記羽根を回転させるモーター部とを備え、前記ケーシングは、一方側の側面に給気口を有し、上面には前記本体ケースにおける左右方向に長い横長形状の吐出口を設け、前記吐出口には、前記ケーシングの前記吐出口における一方側の長辺面の中央部から内方に膨らんだ膨張部分を設け、これにより所期の目的を達成するものである。
【発明の効果】
【０００７】
本発明によれば、空気が本体ケースにおける左右方向へ分割し、吹出口から衣類へ送風されるため、除湿装置の端に干された衣類まで送風することができ、乾きむらが抑制され、乾燥時間を短縮することができる。
【図面の簡単な説明】
【０００８】
【図１】本発明の実施の形態における除湿装置の斜視図
【図２】同除湿装置の分解斜視図
【図３】同除湿装置の概略断面図
【図４】同除湿装置の送風機のケーシング吐出口付近の分解斜視図
【図５】同除湿装置のケーシングと送風機の正面図
【図６】同除湿装置の風の流れの模擬図
【発明を実施するための形態】
【０００９】
以下、本発明の実施の形態について図面を参照しながら説明する。
【００１０】
（実施の形態１）
図１は本発明の実施の形態における除湿装置の斜視図であり、図２は概略構成を示す分解斜視図を、図３には水平面における概略断面図を示す。
【００１１】
図１、図２、図３に示すように、本実施形態の除湿装置は、縦長箱形状の本体ケース１の前面に吸込口２を設け、本体ケース１の上面の前面側には操作部３を、本体ケース１の上面の背面側には吹出口４を有している。使用者は、操作部３を操作することで除湿装置の操作および運転モードの確認をすることができる。吹出口４の上方には、回動自在なルーバー５を備えている。本体ケース１の背面側下方には、貯水部６が出没自在に設けられており、本体ケース１内で生成された除湿水を貯水する。
【００１２】
本体ケース１内には、除湿ロータ部７と、再生ユニット８と、送風機９とを備えている。
【００１３】
除湿ロータ部７は、除湿ロータ１０と、支持枠１１と、モータ１２とを有している。
【００１４】
除湿ロータ１０は、円板形状で、回転軸が水平方向に延びるように、支持枠１１に回動自在に設けられている。除湿ロータ１０は、吸着材が担持された軸方向に通風可能なハニカム形状で構成されており、この吸着材は、晒される空気の相対湿度が高ければ多くの水分を保持でき、相対湿度が低くなると保持可能な水分量が減少する特性を有している。このように、相対湿度の異なる複数の空気との接触を繰り返せば、各々の相対湿度における吸着材の保持可能な水分量の差に応じて水分の吸脱着が行われることになる。除湿ロータは、空気中の水分を除湿ロータ１０に吸着する吸湿領域１０ａと、除湿ロータ１０に吸着した水分を放出する放湿領域１０ｂとを有する。除湿ロータ１０の外周には、多数の歯１０ｃを有している。
【００１５】
支持枠１１は、本体ケース１における前面側と背面側とを仕切るように配置され、中央部には、円形の開口１１ａを有している。除湿ロータ１０は、本体ケース１における背面と支持枠１１との間に配置され、支持枠１１の開口１１ａを塞ぐように、回動自在に設けられている。
【００１６】
モータ１２は、支持枠１１に固定され、歯車１２ａを有し、歯車１２ａは、除湿ロータ１０外周から突出した多数の歯１０ｃと接触する。モータ１２が駆動すると歯車１２ａが回転し、この歯車１２ａによって除湿ロータ１０も回転する。
【００１７】
再生ユニット８は、除湿ロータ１０における放湿領域１０ｂの一方側面（本体ケースにおける前面側）と、除湿ロータ１０における放湿領域１０ｂの他方側面（本体ケースにおける背面側）と連通する循環風路１３と、循環風路１３内に設けた、発熱部１４と、熱交換器１５と、循環送風機１６とを有する。
【００１８】
発熱部１４は、除湿ロータ１０における放湿領域１０ｂの一方側面（本体ケースにおける背面側）に配置されている。発熱部１４は、ニクロム線などの通電発熱する材料で構成され、発熱することにより除湿ロータ１０の放湿領域１０ｂにおいて、除湿ロータ１０から水分を放出させている。
【００１９】
熱交換器１５は、除湿ロータ１０の放湿領域１０ｂから放出した水分を含む再生空気と、送風機９が供給する室内空気とを熱交換して水分を凝縮する。熱交換器１５は、本体ケース１における前面と支持枠１１との間に、除湿ロータ１０と水平方向に隣り合うように配置されている。
【００２０】
循環送風機１６は、モータ１６ａと羽根車１６ｂを組み合わせた、いわゆるシロッコファンとして構成し、循環風路１３内で空気の循環を行っている。循環送風機１６は、循環風路１３における発熱部１４と熱交換器１５との間に配置されている。循環送風機１６から送風された空気は、発熱部１４、除湿ロータ１０における放湿領域１０ｂ、熱交換器１５を順次介して、循環送風機１６に吸い込まれる。
【００２１】
送風機９は、本体ケース１における背面と支持枠１１との間に配置されている。送風機９は、モータ部９ａと、モータ部９ａにより回転する羽根９ｂと、それらを囲むスクロール形状のケーシング９ｃとを備えている。
【００２２】
モータ部９ａは、ケーシング９ｃに固定されている。
【００２３】
羽根９ｂは、シロッコファンで、モータ部９ａから水平方向に延びた回転軸（図示せず）に固定されている。モータ部９ａの回転軸は、本体ケース１の前面側から背面側に延びている。
【００２４】
ケーシング９ｃには、吐出口１７と吸気口１８とが設けられている。吐出口１７は、ケーシング９ｃの本体ケース１における上面側に設けられている。また、吸気口１８は、ケーシング９ｃの本体ケース１における前面側に設けられている。ケーシング９ｃは、モータ部９ａを固定し、吸気口１８が設けられた吸込面部分１９と、吸込面部分１９に対向した吸込対向面部分２０と、吸込面部分１９と吸込対向面部分２０とを連結するスクロール形状のスクロール面部分２１とを有している。モータ部９ａによって、羽根９ｂが回転すると、ケーシング９ｃの吸気口１８からケーシング９ｃ内に空気が吸い込まれ、この吸い込まれた空気は、吐出口１７からケーシング９ｃ外へ送風される。
【００２５】
本体ケース内には、除湿風路２２と、冷却風路２３と有している。
【００２６】
除湿風路２２は、本体ケース１の吸込口２と、除湿ロータ１０の吸湿領域１０ａと、送風機９とを連通する風路である。本体ケース１の吸込口２から吸い込んだ空気の水分は、除湿ロータ１０の吸湿領域１０ａで、除湿ロータ１０に吸着され、除湿される。冷却風路２３は、本体ケース１の吸込口２と、熱交換器１５と、送風機９とを連通する風路である。本体ケース１の吸込口２から吸い込んだ空気によって、熱交換器１５が冷却される。除湿風路２２と冷却風路２３とを通過したそれぞれの空気は、送風機９で混合され、吹出口４から本体ケース１外へ送風される。
【００２７】
以上の構成における除湿動作について説明する。送風機９により吸込口２から室内空気を吸引し、除湿ロータ１０の吸湿領域１０ａに水分を吸湿させ、除湿された空気を乾燥空気として吹出口４から室内に送風する（除湿風路）。除湿ロータ１０に吸湿された水分は、除湿ロータ１０の回転駆動により放湿領域１０ｂに移動し、発熱部１４の加熱により循環風路１３に放出される。循環風路１３では循環送風機１６の送風により、除湿ロータ１０の放湿領域１０ｂから送出した高温多湿の空気は、熱交換器１５に送風される。熱交換器１５では循環風路１３と送風機９により本体ケース１内に吸引され、熱交換器１５を冷却する冷却風路２３とが熱交換を行い、循環風路１３の高温多湿空気は冷却され水分が凝縮し結露水として貯水部６に回収される。熱交換器１５を冷却し、温度が上昇した冷却風路２３の空気は、送風機９により、除湿風路２２の空気と混合され吹出口４から室内に送風される。このように、室内空気の除湿動作がなされている。
【００２８】
図４は、本発明の実施形態１の送風機９のケーシング９ｃ吐出口１７付近の分解斜視図である。本実施形態における特徴は、送風機９のケーシング９ｃの吐出口１７の形状である。図４に示す通り、吐出口１７は、本体ケース１上面の背面側に設けた開口であり、本体ケース１における左右方向に長い横長形状である。吐出口１７には、ケーシング９ｃの吐出口１７における一方側の長辺面の中央部から内方（本体ケース１における前面側から背面側）に膨らんだ膨張部分２４を備えている。
【００２９】
これにより、吐出口１７における中央部から出る空気の一部が、吐出口１７の長手方向における一方側と他方側、言い換えると、吐出口１７の本体ケース１における左側および右側から空気が出易くなるので、除湿された空気が、本体ケース１における左右方向に広がって送風することができる。
【００３０】
ケーシング９ｃについて図５を用い詳細に説明する。図５は本発明の実施形態１のケーシング９ｃと送風機９の正面図である。ケーシング９ｃは、本体ケース１における左右方向における左方側（図４では左側）に舌部２５と膨張部分２４とを備えている。膨張部分２４は、本体ケース１における左右方向における他方側（図４では左側）寄りに配置されている。言い換えると、膨張部分２４と、ケーシング９ｃの吐出口１７の本体ケース１における左右方向における他方側（図４では左側）の端との距離は、膨張部分２４と、ケーシング９ｃの吐出口１７の本体ケース１における左右方向における一方側（図４では右側）の端との距離より短い。なお、スクロール形状のケーシングでは、膨張部分２４が無い場合には、吐出口１７における舌部２５側（図４では左側）が、舌部２５側が無い側（図４では右側）に比べて空気が出易い傾向にある。これは、羽根９ｂから出た空気は、舌部２５に沿って流れ易い為であると考えられる。
【００３１】
これにより、吐出口１７の長手方向における一方側から吹き出る風量と、他方側から吹き出る風量とが、ほぼ同じ風量にすることができる。言い換えると、吐出口１７の本体ケース１における左側から吹き出る風量と、右側から吹き出る風量とが、ほぼ同じ風量にすることができる。そのため、例えば衣類をケーシング９ｃにおける左右方向に干した場合、左右の衣類にほぼ均等に送風できるため、左右の衣類の乾きムラを減少させることができ、衣類乾燥時間を短縮することができる、仮に、膨張部分２４をケーシング９ｃの中央に設けた場合、右側の衣類が乾きにくくなるため、衣類乾燥時間が増加する。
【００３２】
また、除湿部は、水分を吸着する除湿ロータ１０と、除湿ロータ１０を回転させるモータ１２とを有している。除湿ロータ１０とモータ１２は、本体ケース１における前後方向に並ぶように配置されている。膨張部分２４内には、モータの一部が入り込むように配置された構成である。言い換えると、図４の通り、モータの一部が、ケーシング９ｃの吐出口１７内に入り込んだ構造である。
【００３３】
これにより、本体ケース１における前後方向（厚み方向）における本体ケース１の寸法を小さくすることができる。
【００３４】
図４の通り、吐出口１７における一方側（本体ケース１における前面側）の長辺面は、本体ケース１における前後方向において吐出口１７の内方から外方へ広がる傾斜面である傾斜部２６を有している。言い換えると、傾斜部２６は、本体ケース１における前面側から背面側に広がる傾斜面である。この傾斜面に、膨張部分２４を設けた構造である。膨張部分２４の下端は、傾斜面の下端より上方に配置されているので、上方から吐出口１７を見ると、傾斜面内に、膨張部分２４が配置されている。これにより、ケーシング９ｃの吐出口１７から吹き出す空気の一部は、傾斜部２６に沿って流れた後に、膨張部分２４の側面に沿って流れるので、送風抵抗を低減できる。そのため、吹出口から送風される風量の減少を抑制できる。なお、仮に、傾斜面ではなく、垂直面に膨張部分２４を設けると、膨張部分２４の底面が風路抵抗となり、送風抵抗が増大し、風量が減少し、衣類乾燥時間が増加する構造となる。
【００３５】
また、吹出口４には、多数の開口を有する格子部２７を設けている。格子部２７は、水平面である水平格子部２８と、水平格子部２８の端部から上方へ傾斜した傾斜面である傾斜格子部２９とを備えている。膨張部の本体ケース１における左右には、傾斜格子部２９が配置されている。
【００３６】
これにより、膨張部の本体ケース１における左右に、水平面である水平格子部２８を設けた場合に比べ、傾斜面である傾斜格子部２９を設けた方が、開口面積が大きくなり、送風抵抗を低減できる。さらに、本体サイズの増加を抑制しながら、開口面積を大きくする構造となる。
【００３７】
具体的には、図６に示す通り、送風機９が送風した空気がケーシング９ｃを通り傾斜部２６を通過する。傾斜部２６から膨張部に到達した空気は、ケーシング９ｃにおける左右方向に変化し、傾斜格子部２９を通り吹出され、除湿装置の本体ケース１における後ろと左右方向へ送風される。これは、後ろ方向や左右方向など広い範囲に送風できるため、とくに除湿装置の真上に衣類を干すときに有用である。
【産業上の利用可能性】
【００３８】
本発明にかかる除湿装置は、家庭用や事務所用などに使用される除湿装置等に有用である。
【符号の説明】
【００３９】
１    本体ケース
２    吸込口
３    操作部
４    吹出口
５    ルーバー
６    貯水部
７    除湿ロータ部
８    再生ユニット
９    送風機
９ａ    モータ部
９ｂ    羽根
９ｃ    ケーシング
１０    除湿ロータ
１０ａ    吸湿領域
１０ｂ    放湿領域
１０ｃ    歯
１１    支持枠
１１ａ    開口
１２    モータ
１２ａ    歯車
１３    循環風路
１４    発熱部
１５    熱交換器
１６    循環送風機
１６ａ    モータ
１６ｂ    羽根車
１７    吐出口
１８    吸気口
１９    吸込面部分
２０    吸込対向面部分
２１    スクロール面部分
２２    除湿風路
２３    冷却風路
２４    膨張部分
２５    舌部
２６    傾斜部
２７    格子部
２８    水平格子部
２９    傾斜格子部
【図１】
2019155267.tif 000003
【図２】
2019155267.tif 000004
【図３】
2019155267.tif 000005
【図４】
2019155267.tif 000006
【図５】
2019155267.tif 000007
【図６】
2019155267.tif 000008